(57)【要約】本発明は空間（１８）を定義する底部（１４）と周壁（１６）を有する基部（４）を備える台所器具に関する。壁（１６）は底部（１４）と対向した縁部（２０）と、縁部（２０）の近傍に互いに対向した２つの貫通孔（２２〜２４）とを有する。容器（１０）は上記空間（１８）内に収容されるのに適している。容器は２つの対向する突起（４４〜４６）を有し、貫通孔（２２〜２４）に受け入れられている。貫通孔（２２〜２４）の少なくとも１つ（２４）が突起のうち１つ（４４）を受け入れるためのノッチ（２８）に縁部（２）で繋がっている。把持装置（６）に軸受け部（８）が設けられ、それが受け入れる突起（４４）を少なくとも部分的に覆う。締結要素（８）が把持装置（６）を突起（４４）が少なくとも部分的に覆われる位置に維持する。【選択図】図１
2013516202.tif 000002
【特許請求の範囲】
【請求項１】
底部（１４，１１４）と、前記底部と接合して空間（１８，１１８）を規定する周壁（１６，１１６）とを有する基部（４，１０４）を備える器具であって、前記壁は、前記底部（１４，１１４）にほぼ対向する縁部（２０，１２０）および前記縁部（２０，１２０）の近傍に互いにほぼ対向する２つの貫通孔（２２〜２４，１２１〜１２２）を含み、前記器具は、前記空間（１８，１１８）に収容されることに適して互いにほぼ対向してそれぞれが前記貫通孔（２２〜２４，１２１〜１２２）の開口部（２２〜２４，１２１〜１２２）に受け入れられることに適した周辺突起（４４〜４６，１４４〜１４５）を含む容器（１０，１１０）を更に備え、前記貫通孔（２２〜２４，１２１〜１２２）のうち少なくとも１つが前記縁部（２０，１０２）にて前記突起（４４，１４４）のうちの１つの受入ノッチ（２８，１２２）内で開口していることと、前記器具（２，１０２）が、前記突起（４４，１４４）の少なくとも一部を覆うことに適した支持部（８，１６８）を備えた把持装置（６，１０６）と、前記把持装置（６，１０６）を前記突起（４４，１４４）の少なくとも一部が覆われる位置に維持することに適した固定部材とを更に有することとを特徴とする器具。
【請求項２】
請求項１に記載の器具は、前記ノッチ（１２２）の領域内で前記壁に固定された周辺ループハンドル（１２４）を更に備え、前記ループハンドル（１２４）は前記突起（１４４）の一端を受け入れるための前記ノッチ（１２２）に対応した切欠部（１３０）を有することを特徴とする器具。
【請求項３】
請求項１または２に記載の器具において、他の前記突起（１４５）のための受入ノッチ（１２１）において他の前記貫通孔（１２１）が前記縁部（１２０）に開口しており、前記器具（１０２）は前記ノッチ（１２１）の壁に固定された周辺ループハンドル（１２３）を備え、前記ループハンドル（１２３）は前記突起（１４５）の一端を受け入れるための前記ノッチ（１２１）に対応した切欠部（１２９）を有することを特徴とする器具。
【請求項４】
請求項１〜３のいずれか１項に記載の器具において、前記基部（１０４）は前記縁部（１２０）の領域に注ぎ口（１３４）を有し、前記容器（１１０）は、前記容器が前記基部（１０４）に収容される際に前記注ぎ口（１３４）の上に置かれることに適した要素（１４８）を有することを特徴とする器具。
【請求項５】
請求項４に記載の器具であって、前記容器（１１０）の要素（１４８）は、前記容器を持つために前記把持部（１０６）と係合可能な２つの切欠部（１４９，１５０）を有することを特徴とする器具。
【請求項６】
請求項５に記載の器具であって、前記縁部に置かれることに適した蓋（１１２）を更に備え、前記容器（１１０）の前記要素（１４８）における前記切欠部（１４９，１５０）は、前記要素の端部と前記蓋（１１２）の端部との間で前記注ぎ口（１３４）を覆うことのできる前記要素（１４８）の一部分の中に配置されていることを特徴とする器具。
【請求項７】
請求項１〜６のいずれか１項に記載の器具において、前記把持装置（１０６）は取り外し可能であることを特徴とする器具。
【請求項８】
請求項１〜７のいずれか１項に記載の器具において、前記要素（１６２）はペンチと類似して操作することを特徴とする器具。
【請求項９】
請求項１〜８のいずれか１項に記載の器具において、前記把持装置（６）は固定されていることを特徴とする器具。
【請求項１０】
請求項１〜９のいずれか１項に記載の器具において、前記固定要素（８）は、前記固定位置において少なくとも部分的に前記ノッチ（２８）を覆うタブ（３８）を有するスリーブ（８）であることを特徴とする器具。
【請求項１１】
請求項１〜１０のいずれか１項に記載の器具において、前記把持装置（６，１０６）はハンドルであることを特徴とする器具。
【請求項１２】
請求項１〜１１のいずれか１項に記載の器具において、前記把持装置（６，１０６）は一対のループハンドルを備えることを特徴とする器具。
【請求項１３】
請求項１〜１２のいずれか１項に記載の器具において、前記要素（１４８）には、前記縁部（１２０）と前記要素（１４８）の間にあるスロット（１５１）を形成するベントの領域内にギャップが形成されていることを特徴とする器具。
【発明の詳細な説明】
【技術分野】
【０００１】
本発明は、取扱が簡易な器具に関する。
【背景技術】
【０００２】
調理は異なる調理方法を実施するために異なる器具を用いることを伴う。
【０００３】
場合によっては、それら異なる調理方法は水を熱媒体として利用することを伴う。そのために、調理水を受けるための基部と共に調理される食材を受け入れる容器を有する器具が多く用いられる。
【０００４】
調理が終了すると、その水を切らなければならない。水を切る操作は通常、複雑かつあまり実用的ではない。
【０００５】
この操作は調理水を切るのと同時に食材を流してしまわないようにするために実際ある一定の正確さを要するが、器具は猛烈に熱く、操作を非常に困難にする。
【０００６】
この不足を補う為に解決策が提案されてきた。それらは主に基部に周辺突起とそれに対応するノッチを持つ容器を提供することを含む。
【０００７】
これは回転の自由度を持った接続を基部と容器の間に設けることを可能にする。よって、調理した食材を注ぎ出してしまうリスクがなく水を切ることができるようになる。
【発明の概要】
【発明が解決しようとする課題】
【０００８】
しかし、この解決策は実際の使用にはあまり実用的ではない。容器の基部への適合が難しく、比較的不安定となる。
【０００９】
更に、この解決策は器具の要素に非常に特定された構成を要求し、そのような器具の製造にとって材料的観点および製造の複雑さの観点どちらにおいても負担となる。
【００１０】
本発明はそのような状況を改善するであろう。
【課題を解決するための手段】
【００１１】
そのため、本発明は、底部と、上記底部と接合して空間を規定する周壁とを有する基部を備える器具であって、上記壁は、上記底部にほぼ対向する縁部および上記縁部の近傍に互いにほぼ対向する２つの貫通孔を含む器具を提案する。
【００１２】
上記器具は、上記空間に収容されることに適した、互いにほぼ対向しそれぞれが上記貫通孔の開口部に受け入れられることに適する周辺突起を含む容器を更に備える。
【００１３】
上記貫通孔のうち少なくとも１つが上記縁部にて前記突起のうちの１つのための受入ノッチ内で開口しており、上記器具は、上記突起の少なくとも一部を覆うことに適した支持部を備えた把持装置と、上記把持装置を前記突起の少なくとも一部が覆われる位置に維持することに適した固定要素とを更に有する。
【００１４】
本装置は製造及び使用がより簡単であり、また、より信頼性があるため、特に有利である。
【００１５】
本発明のその他の特徴および利点は、実例として挙げられる例により、限定することを意図せず、そして図面により、下記の記載を読めば明らかになるであろう。
【図面の簡単な説明】
【００１６】
【図１】本発明の器具の第１の実施形態を示す分解図である。
【図２】図１の器具の組立を示す斜視図である。
【図３】図１および２の器具を用いて調理水を切ることを示す斜視図である。
【図４】（ａ）および（ｂ）は図１の器具のハンドルの２つの位置を示す上面図である。
【図５】本発明の器具の第２の実施形態を示す斜視図である。
【図６】図５の器具の基部を示す斜視図である。
【図７】図５の器具の第１容器を示す斜視図である。
【図８】図７の容器を示す底面斜視図である。
【図９】図５の器具のハンドルを示す分解斜視図である。
【図１０】図５の器具の組立における第１ステップを示す斜視図である。
【図１１】図５の器具の組立における第２ステップを示す斜視図である。
【図１２】図１および図２の器具を用いて調理水を切ることを示す斜視図である。
【図１３】図５の器具の他の形態を示す図である。
【図１４】図５および１３の器具の正面断面図である。
【発明を実施するための最良の形態】
【００１７】
図面および以下の記載は特定の性質を持つ基本的要素を含む。それらは本発明のよりとい理解に役立つだけでなく、本発明の定義に貢献することがある。
【００１８】
図１は、本発明の器具２の分解斜視図を示す。ここに示す例では、器具２は、ハンドル６、スリーブ８、ざる１０および蓋１２を有する基部４を備える。
【００１９】
ここに記載される例では、基部４は片手鍋の形をとる。すなわち、基部４は略平坦でかつ略円形の底部１４を有し、底部１４の上には、底部１４の輪郭に沿った略直立の周壁１６がある。
【００２０】
また、底部１４と壁１６は、調理される食材を受け入れるための空間１８または容器を規定する。
【００２１】
ここに記載する実施例では、底部１４と壁１６は同じ薄板でスタンピング（型打ち）により作られる。しかし他の実施例では、底部１４と壁１６は例えば溶接により接合される。
【００２２】
更に、底部１４と壁１６には他の数多くの形を用いることができる。例えば、底部１４には略正方形、楕円、または他の閉じられた形を用いることができ、壁１６は直線でなくてもよい。
【００２３】
一般的に、底部１４は丸みを持っていてもよく、つまり、凹形または凸型でもよく、そして壁１６は、ここに記載する例の場合では、底部１４の周囲に沿ってではなく底部１４の内部と接合されていてもよい。
【００２４】
底部１４および壁１６が受容面を規定し、壁１６が収容面の範囲を定めることが重要である。
【００２５】
壁１６の上端が縁部２０を規定する。縁部２０は壁に相対して底部１４とほぼ対向している。縁部２０は空間１８に受け入れられた液体や食材の水を切る際に特に必要となる。
ここに記載する例では、壁１６は縁部２０の近傍に２つの開口部２２，２４を有する。開口部２２，２４は互いにほぼ対向している。
【００２６】
より詳細には、底部１４は略円形であり、壁１６はそれに沿っており、開口部２２，２４は直径方向にほぼ対向するように壁１６に形成される。
【００２７】
開口部２４は、スリーブ８と共に把持装置としての役割を果たすハンドル６の反対側の壁内に形成される。開口部２２，２４が形成された後の壁１６にハンドル６が固定されるため、ハンドルは開口部２４の反対側に固定されることもできる。
【００２８】
ここに記載する実施例では、開口部２２は縁部２０から１０ｍｍと非常に近接して形成され、縁部２０と結合しないよう、直径は８ｍｍである。開口部２２，２４は縁部２０からほぼ同じ距離に形成される。
【００２９】
他の実施例では、開口部は、縁部２０から更に離れて、縁部２０と底部１４の間の距離の半分までのところに形成されてもよい。
【００３０】
開口部２４は開口部２２とは異なり、拡張部２６を介して縁部２０に開口しノッチ２８を形成する。開口部２６の拡張部は開口部２２と関連している。
【００３１】
ここに記載の例では、ハンドル６は細長い型打ち部材３０の形状をしており、その一端が壁１６に固定されている。その他端では、型打ち部材３０が基部４をフックにかけるためのアパーチャ３２を有する。
【００３２】
壁１６に固定された端部側では、型押し部材３０が開口部２２とほぼ対向するよう配置された溝３４を有している。
【００３３】
その型押し部材３０の端部は縁部２０から拡張部２６の高さより大きい距離のところで壁１６に固定されている。よって、基部６が平坦な面に置かれる場合、ハンドルの上面はノッチ２８の拡張部２６のレベルをかすめる。
【００３４】
底部１４と壁１６は「３層」（３層の材料を重畳し、特に誘導加熱に利用される）、鋼、アルミ、ステンレス鋼、陽極酸化アルミ、または成形された鋼で作ることができる。
【００３５】
ハンドル６は鋼、ステンレス鋼、成形された鋼、合金、アルミ、または他の耐熱材料で作ることができ、また柔らかいグリップで覆われていてもいなくてもよい。
【００３６】
ハンドル６は壁１６に対して溶接、ネジ止め、リベット打ち、接着、切り抜き、または他の組立技術により固定できる。
【００３７】
スリーブ８は、自らが嵌め合わさるハンドル６の形とほぼ対応した形を持つ。
【００３８】
よって、スリーブ８は、タブ３８と共に軸端に設けられた略円筒体３６を備える。タブ３８の幅は有利にはノッチ２８の幅よりわずかに小さい。
【００３９】
したがって、スリーブ８がハンドル６上に嵌め合わされる際、タブ３８はノッチ２８の拡張部２６に嵌め合わさることが可能であり、タブ３８は自らが塞ぐ開口部２２と溝３６の真上でノッチ２８の拡張部２６内に嵌め合わさる。
【００４０】
ざる１０は調理される食材を受け入れるための容器である。ざる１０は開放した半球形の形を持ったボディ４０を有する。
【００４１】
ボディ４０は水が入るように多数の孔４２が貫通しており、２つの突起（または心棒）４４，４６のうち突起４４の１つのみを図１に見ることができる。突起４６の一部は図３に見ることができる。
【００４２】
ここで注意すべきは孔４２はボディ４０には形成されていないことであり、有利には湯煎鍋（bain-marie）が得られる。
【００４３】
突起４４は略円筒形状を持ち、溝３４が突起４４を受け入れられるように溝３４の直径に対応した直径を持つ。突起４６は略円筒形状を持ち、開口部２２に差し込むことができるよう開口部２２の直径に対応した直径を持つ。
【００４４】
ボディ４０はまた切欠部４８を突起４４の領域内に有し、切欠部４８は壁１６のノッチ２８の拡張部２６とほぼ同一の形状を有する。
【００４５】
図２は基部４の中の容器１０の組立例を示す。突起４６はまず開口部２２に差し込まれる。
【００４６】
そして、矢印Ｆ１で示す動きにより、容器１０は空間１８の中へ突起４４が溝３４に引っ掛かるまで下げられる。
【００４７】
ノッチ２８の形状はこの動きを容易にし、突起４４は開口部２４に受け入れられた最終位置にあって溝３４内に伸びる。最後に、矢印Ｆ２で示す動きによって、溝３４を覆うまでスリーブ８は型打ち部材３０上に嵌め合わさることができる。
【００４８】
容器１０が基部４上で組み立てられスリーブ８がハンドル６の上に嵌め合わされると、図３にある器具２が得られる。
【００４９】
突起４４は開口部２４に受け入れられてスリーブ８に覆われており、突起４６は開口部２２に受け入れられているため、容器１０は基部４に関して回転関係にある。
【００５０】
よって、基部４が矢印Ｆ３のように回転した場合、基部４は略水平軸を中心に回り、容器１０は重力の影響の下そのままの位置を維持する。
【００５１】
その結果、基部４の中の水を容器１０の中にある食材に問題が起きることなく空にすることができる。
【００５２】
更には、本発明による器具によって、使用者が基部４に近づくことによって火傷をするリスクを伴わずに、片手で操作することができる。
【００５３】
図４（ａ）、４（ｂ）は上記器具を２つの構成で示す上面図である。
【００５４】
図４（ａ）の構成では、スリーブ８が図３に示すのを同じレベルまで押し込まれている。この構成では、容器１０は回転自由である。
【００５５】
図４（ｂ）の構成では、スリーブ８はわずかに更に嵌め合わされている。その結果、スリーブ８のタブ３８は容器１０の切欠部４８に挿入され、容器１０が基部４につられて回転することを防ぐ。
【００５６】
よって、片手のみを使用し火傷のリスクを伴わずになお、使用者は、基部４と容器１０が接続しているロックされた位置から、使用者が水を切ることができる自由位置まで器具の位置を変えることができる。
【００５７】
なお、器具２は両利き用であり、開口部２２，２４はわずかに中心を外れていてもよく、言い換えれば大まかにではあるが直径方向に互いに対向していなくてもよい。
【００５８】
図５は本発明の第２の実施形態による器具の斜視図である。
【００５９】
ここでも、器具１０２は基部１０４、ハンドル１０６、容器１１０および蓋１１２を有する。本実施例は機能が異なるため、スリーブを有しない。
【００６０】
図６は基部１０４の斜視図を示す。基部４のように、基部１０４は共に空間１１８を定義する壁１１６に接合した底部１１４を有する。
【００６１】
壁１１６の形は壁１６とわずかに異なっており、基部１０４がサラダボウルと似るように、わずかに丸みを帯びた形をしている。
【００６２】
壁１６に関して上に述べたように、底部１１４および壁１１６は異なる方法、異なる形で製造できる。
【００６３】
壁１１６は同様に底部１１４と対向して縁部１２０を有し、また２つの開口部１２１，１２２を有する。第２の実施例では、開口部１２１，１２２は縁部１２０に開口し、ノッチを形成する。ノッチ１２１はノッチ１２２より大きい幅で形成する。
【００６４】
基部１１４は２つのループハンドル１２３，１２４も有し、ループハンドル１２３，１２４は壁１１６に取り付けられ、ループハンドル１２３の場合ノッチ１２１に対向し、ループハンドル１２４の場合ノッチ１２２に対向する。
【００６５】
ループハンドル１２３（または１２４）はコーナーピースの形状を有し、溶接、ネジ止め、リベット打ち、接着、または他の組立技術によって壁１１６に固定するために使われる第１表面１２５（または１２６）と、第１表面１２５（または１２６）と略垂直であって縁部１２０と繋がっていて縁部１２０とほぼ同じレベルにある第２表面１２７（または１２８）とを有する。
【００６６】
ループハンドル１２３の第２表面１２７は切欠部１２９を有し、その幅は壁１１６のノッチ１２１の幅とほぼ対応している。
【００６７】
ループハンドル１２４の第２表面１２８は切欠部１３０を有し、その幅は壁１１６のノッチ１２２の幅とほぼ対応している。第２表面１２８はまた切欠部１３０のどちらかの側に配置された２つの切欠部１３１，１３２を有し、その目的は以下に説明する。
【００６８】
最後に、２つのループハンドル１２３，１２４の中間あたりに、空間１１８の中に入っている液体をこぼしやすくする注ぎ口１３４を縁部１２０が有する。
【００６９】
図７は容器１１０の第１の斜視図である。ここに記載の例では、容器１１０は、ざるを形成するために孔１２０が開けられたボディ１４０と突起１４４，１４５を持つ点で容器１０と非常に似ている。ここでも、湯煎鍋を得るために孔１４２を省略することもできる。
【００７０】
突起１４４は、ボディ１４０から突出する第１円形筒部分１４６と、同様に円筒形をした第１部分１４６の延長としての第２部分１４７とを有する。
【００７１】
第１部分１４６は開口部１２２とほぼ等しい直径を持ち、第２部分１４７は切欠部１３０とほぼ等しい直径を有する。
【００７２】
突起１４５は同様に単一の円筒形の部品でなり、その直径は開口部１２１とほぼ対応している。
【００７３】
有利には、開口部１２１，１２２の直径はほぼ等しくなるよう選ぶことができ、容器１１０の製造を容易にする。実際、開口部１２１，１２２は、突起１４５と突起１４４の第１部分１４６のように、同じ操作で形成することができる。
【００７４】
突起１４４，１４５は基部１０４内への容器１１０の嵌め合わせを容易にする。実際、下記のように、本実施例の器具は両手利き用ではない。
【００７５】
このような状況において、突起１４４，１４５のサイズが違うことは使用者が容器１１０を基部１０４内に置く際に確実に間違わないようにする。
【００７６】
容器１１０はまた、ループハンドル１２３，１２４のような一般的に曲がった形をした要素１４８を有し、要素１４８は突起１４４と１４５の間のボディ１４０に沿って配置され、基部１０４の注ぎ口１３４に対応している。
【００７７】
要素１４８は突起１４４と１４５の間で、容器１１０が基部１０４の空間１１８内に受け入れられている時に要素１４８が注ぎ口１３４上に置かれるように配置されている。要素１４８の注ぎ口１３４上での支持は容器１１０の基部１０４に関する回転方向を制限することになるが、その支持は別の回転方向には影響しない。
【００７８】
要素１４８はまた２つの切欠部１４９，１５０を有し、切欠部１４９，１５０はループハンドル１２４の切欠部１３１，１３２と似た方法で形成される。
【００７９】
要素１４８は曲げられた領域にギャップ１５１が形成されている。よって、要素１４８が壁１１６に結合される時に、一方はギャップ１５１に対応した空間が壁１１６の縁部１２０の端部上に、他方は要素１４８上に残る。これは特に、容器が基部１０４内に存在してもしなくても蓋１１２がしっかりと嵌め合わさるようにする。
【００８０】
さらには、切欠部１４９，１５０は蓋１１２に覆われない要素１４８の一部に形成され、図５からより明らかになるであろう。
【００８１】
容器１１０が基部１０４に受け入れられて蓋１１２で器具１０３を閉じている時、注ぎ口１３４を要素１４８の端部と蓋の端部の間で覆う要素１４８の一部に切欠部１４９，１５０が形成されているため、器具１０２の内部は外部と切欠部１４９，１５０を介して繋がることになる。
【００８２】
よって、要素１４８が注ぎ口１３４の上に置かれ、蓋１１２がアセンブリを閉じている時、切欠部１４９，１５０は蓋１１２で閉じられた器具１０２の内部から蒸気を逃がす。
【００８３】
これにより蒸気の退出路を確保し、蒸気が開口部１２１，１２２から逃げて器具１０２を扱う使用者が火傷することを防ぐ。
【００８４】
図８にあるように、容器１１０は更に４本の脚１５２をボディ１４０の底部の領域に持ち、容器１１０がひっくり返ることなく平面上にセットされるようにする。
【００８５】
図９は器具１０２のハンドル１０６の分解斜視図を示す。ハンドル１０６は取り外し可能であり、基部１０４および容器１１０が別々におよび結合されて扱えるように設けられる。
【００８６】
ハンドル１０６は中心部１６０、ロック機構１６２およびカバー１６４を有する。
【００８７】
中心部１６０は金属、例えばダイキャスト用鋼よりなり、一般的に細長い形状を持つ。基部１０４または容器１１０に結合するのに使われるハンドル１０６側では、中心部は結合領域１６６を有する。
【００８８】
結合領域１６６は型打ち部１６８を備え、型打ち部１６８の形はループハンドル１２４の第２部分１２８の形および要素１４８の形とほぼ補完的である。
【００８９】
更には、２本の指１６９，１７０が型打ち部１６８の端部から突出している。指１６９，１７０は、切欠部１３１，１３２および１４９，１５０内に係合できるようなサイズで配置される。
【００９０】
結合領域１６６に続いて、中心部１６０はロック領域１７０を有する。ロック領域１７０は中心部１６０の一部であり、ハンドル１０６と基部１０４または容器１１０を一体接続したままに保持するためにロック機構１６２と協働する。
【００９１】
ロック領域１７０は２つの孔１７１，１７２を有する。孔１７１は中心部１６０とロック機構１６２の相互作用のために用いられ、孔１７２はカバー１６４との結合とバネ１８６の支持に用いられる。
【００９２】
最後に、結合領域１６６の続きとして、中心部１６０は、２つのアパーチャ１７５，１７６を有するグリップ領域１７４を有する。
【００９３】
アパーチャ１７５がハンドル１０６をより軽量にさせ、カバー１６４の受入部分として働く。アパーチャ１７６は孔３２と類似しハンドルをフックにかけるように働く。
【００９４】
ロック機構１６２は、ロッド１８０と一体になったボタン１７８と、バネ１８６を収容する溝１８４を有するアーム１８２とを備える。
【００９５】
ロック機構１６２は以下の様に動作する：指１６９，１７０が切欠部１３１，１３２（または切欠部１４９，１５０）内に下向きの動きで導入されると、アーム１８２が第２部分１２８（または要素１４８）の端部と接触する。
【００９６】
指１６９，１７０が前進しハンドル１０６が下げられると、アーム１８２がバネ１８６の反発する方向に付勢され、アーム１８２がバネ１８６を圧縮する。バネ１８６はその動きを孔１７２から突出する爪１８８により制限される。
【００９７】
指１６９，１７０が完全に噛み合いハンドル１０６が完全に押し下げられると、第２部分１２８（または要素１４８）の端部が完全に型押し部材１６８内に収容され、するとアーム１８２がバネ１８６の開放の効果の下、反対方向に勢い良く動く。
【００９８】
するとアームは第２部分１２８（または要素１４８）の端部の下に位置し、指１６９，１７０は上から噛み合わさり、ペンチ型の接続を作る。
【００９９】
容器１１０が基部１０４に受け入れられると、図１２に見られるように、型押し部分１６８は突起１４４の端部を覆う。
【０１００】
ロッド１８０はアーム１８２と一体であり、ロック機構１６２のロックが外れるようにする。実際に、ボタン１７８は単にアーム１８２が後方に動くように引かれ、アームが第２部分１２８（または要素１４８）の下に位置しなくなるまでバネ１８６を圧縮する。
【０１０１】
するとハンドル１０６を持ち上げて指１６９，１７０の噛み合わせを外すことでハンドル１０６は簡単に外れる。
【０１０２】
ここに記載の例では、カバー１６４はシリコンよりなり、優れた断熱性をもたらしながら良いグリップ性が得られる。他の実施例では、カバー１６４はプラスチック素材、シリコン、または金属で作ることができる。
【０１０３】
図１０は容器１１０を基部１０４内に置く例を示す。図示の通り、突起１４５をまずその一部分が開口部１２１内に格納されて部分的にループハンドル１２３の第２部分１２７の下に位置するまでノッチ１２９に差し込むのが適切である。
【０１０４】
そして、矢印Ｆ４に従った動きで、容器１１０は空間１１８内に格納され、突起１４４はループハンドル１２４のノッチ１３０内と開口部１２２内とに格納される。
【０１０５】
図１１は基部１０４と容器１１０を備えるアセンブリへのハンドル１０６の嵌め合わせを示す。上に述べたように、指１６９，１７０は切欠部１３１，１３２に差し込まれ、ハンドルは矢印Ｆ５に従って、バネ１８６の開放に応じてカチッと音がするまで下げられる。
【０１０６】
最後に、図１２は水切りのための器具１０２の利用を示す。一度ハンドル１０６がロックされると、基部１０４を回すためには矢印Ｆ６に従ってハンドル１０６を回すだけでよく、容器１１０は重力によって上向きのまま保たれている。
【０１０７】
突起１４４がハンドル１０６のレベルに維持されていて突起１４５が第２表面１２７のレベルに維持されているため、基部１０４および容器１１０はすると突起１４４，１４５を通る軸で回転の関係にある。
【０１０８】
最後に、ハンドルが矢印Ｆ６と反対方向に回転された場合、容器１１０と基部１０４は、要素１４８が注ぎ口１３４に支持されているため接続されたままであり、容器１１０の内容物が簡単に皿に注がれるようにする。
【０１０９】
なお、要素１４８がここに示すのと反対の位置にある場合、上記の方向は逆となるが、操作は同一のままである。
【０１１０】
図１３は基部１０４に受け入れられた第２容器１９０を示す。この実施例では、容器１９０は孔を持たず、器具１９２はよって湯煎鍋の形状となる。
【０１１１】
それらの条件の下、容器１９０がハンドル１０６で保持されている時に容器１９０を回転に関してブロックすることに意味がある。これによって、例えば、一旦沸騰した水が棄てられてから、容器１９０の内容物が出されて空になるようにする。
【０１１２】
これを受けて、ループハンドル１２２はロック１９４を追加するためにわずかに変形されている。ロック１９４はノブ１９６を備え、ノブ１９６はループハンドル１２２の開口部２００の開口を通じてラッチ１９８にロッド（図示せず）で接続されている。それにより、ラッチ１９８は基部１０４の縁部に収容されるようにノブ１９６によって回転することができる。
【０１１３】
有利には、ロック１９４は伸縮バネを備えることができ、ラッチ１９８をノブ１９６に向けて付勢してロック１９４の保持を強化する。よって、ラッチ１９８はノブ１９６によって基部１０４の縁部に格納されるように回転することができる。
【０１１４】
図１４は図５および図１３の器具の正面部分断面図を示し、容器と基部の相対寸法を説明する。
【０１１５】
本図に見られるように、寸法を定義するパラメータは以下の通りである。
−Ｒｉｎｓ（基部の内側半径）
−ａ（容器の外側半径）
−Ｊ１（基部の縁部の領域内で容器と基部の間にある半径方向の間隔）
−Ｊ２（容器と基部の底部との間の垂直方向の間隔）
−Ｈ（基部の高さ）および
−Ｚ（容器の高さからの距離）
これらのパラメータを考慮し、出願人は容器と基部の相対寸法を定義する２つの方程式を確認した。
【０１１６】
ａ２＝（Ｒｉｎｓ−Ｊ１）２＋Ｚ２  および  Ｈ≧Ｊ２＋Ｚ＋ａ
これらの方程式は下記の範囲で与えられる。
−Ｊ１（０．２ｃｍ〜５ｃｍ）
−Ｊ２（０．２ｃｍ〜５ｃｍ）および
−Ｚ（−２ｃｍ〜２ｃｍ（容器は基部の上面より上でも下でもよい））
ここに記載の例は一般的に細長い形のハンドルに関するが、ハンドルはループハンドルのようにより短い形状でもよく、例えばシチューポットの用途のため、壁の周りに対称に配置されてもよい。
【０１１７】
基部４は片手鍋の特に形状で説明してきたが、基部４は他のどの料理用途の円筒形容器の形状を取ることもできる。
【０１１８】
上述の応用に加えて、単なる例として、本発明を特にスチーマーまたは天ぷら鍋（deep fryer）の形で実施することが予想できる。
【０１１９】
先行する記述では２つの明確に異なる実施例について説明した。当業者によれば、それら２つの実施例は数多くの形状、材料、機能の変形が共有することができ、それらを有利な場合に利用できることがわかるであろう。
【図１】
2013516202.tif 000003
【図２】
2013516202.tif 000004
【図３】
2013516202.tif 000005
【図４】
2013516202.tif 000006
【図５】
2013516202.tif 000007
【図６】
2013516202.tif 000008
【図７】
2013516202.tif 000009
【図８】
2013516202.tif 000010
【図９】
2013516202.tif 000011
【図１０】
2013516202.tif 000012
【図１１】
2013516202.tif 000013
【図１２】
2013516202.tif 000014
【図１３】
2013516202.tif 000015
【図１４】
2013516202.tif 000016
【国際調査報告】
2013516202.tif 000017
2013516202.tif 000018
2013516202.tif 000019
2013516202.tif 000020